(57)【特許請求の範囲】
【請求項１】
建築物の屋根表面を形成する屋根材に装着する屋根外装構造において、
波形の凹凸を有する該屋根材の上面を覆う通気性を有さない遮熱シートと、
該屋根材の側方の該屋根材と該遮熱シートとの間の開口部を塞ぐ封止部材とを備え、
該遮熱シートを、該屋根材の頂部に接着し、該開口部を該封止部材で塞いで、該屋根材の該頂部以外の部分と該遮熱シートとの間に、空気層を設けたことを特徴とする屋根外装構造。
【請求項２】
前記遮熱シートにより、前記封止部材を形成させることを特徴とする請求項１記載の屋根外装構造。
【請求項３】
前記遮熱シートの表面が、アルミ箔で形成されていることを特徴とする請求項１又は請求項２記載の屋根外装構造。
【請求項４】
前記遮熱シートの前記アルミ箔の下層に、樹脂製シートからなる断熱層を有することを特徴とする請求項３記載の屋根外装構造。
【請求項５】
前記遮熱シートの前記アルミ箔の最下層に、他のアルミ箔を有することを特徴とする請求項３又は請求項４記載の屋根外装構造。
【請求項６】
前記遮熱シートの前記屋根材に接着される部分に、不織布を有することを特徴とする請求項１〜請求項５のいずれかに記載の屋根外装構造。
【発明の詳細な説明】
【技術分野】
【０００１】
本発明は、建築物の屋根表面を形成する屋根材に装着する屋根外装構造に関する。
【背景技術】
【０００２】
従来より、屋根の温度上昇を防止するために屋根の上にシートを設ける屋根外装構造が提案されている。例えば、特許文献１における屋根外装構造をなす屋根用シートは、温度上昇を防止するために屋根の上に設置される屋根用シートであって、シートと屋根との間の空間の風通しを十分に確保することができるものである。
【０００３】
具体的には、平行に並んで設置される複数のシート片から構成される遮光シート部と、屋根に固定される部材であってシート片の両端を屋根に固定するシート止め部材とを備えており、各シート片の境界部分がスリットとして機能し、スリットを介して、遮光シート部と屋根との間の通風空間に風が出入り可能である。また、シート片は通風機能を有するメッシュのシートで、シート片自体が風を通す。
【先行技術文献】
【特許文献】
【０００４】
【特許文献１】特開２００９−２２１８３７号公報
【発明の概要】
【発明が解決しようとする課題】
【０００５】
しかしながら、従来の屋根外装構造だと、シートと屋根材との間に通気性があり、シートによる遮熱効果を十分に得ることができなかった。
【０００６】
本発明は、このような事情に鑑みてなされたもので、遮熱効果が高い屋根外装構造を提供することにある。
【課題を解決するための手段】
【０００７】
請求項１記載の屋根外装構造は、波形の凹凸を有する屋根材の上面を覆う通気性を有さない遮熱シートと、屋根材の側方の屋根材と遮熱シートとの間の開口部を塞ぐ封止部材とを備え、遮熱シートを、屋根材の頂部に接着し、開口部を封止部材で塞いで、屋根材の頂部以外の部分と遮熱シートとの間に、空気層を設けたことを特徴とする。
【０００８】
請求項２記載の屋根外装構造は、遮熱シートにより、封止部材を形成させることを特徴とする。
【０００９】
請求項３記載の屋根外装構造は、遮熱シートの表面が、アルミ箔で形成されていることを特徴とする。
【００１０】
請求項４記載の屋根外装構造は、遮熱シートのアルミ箔の下層に、樹脂製シートからなる断熱層を有することを特徴とする。
【００１１】
請求項５記載の屋根外装構造は、遮熱シートのアルミ箔の最下層に、他のアルミ箔を有することを特徴とする。
【００１２】
請求項６記載の屋根外装構造は、遮熱シートの屋根材に接着される部分に、不織布を有することを特徴とする。
【発明の効果】
【００１３】
本願発明によれば、開口部を封止部材で塞いで、屋根材と遮熱シートとの間に、空気層を設けたことから、遮熱効果を高めることができる。
【図面の簡単な説明】
【００１４】
【図１】本発明に係る屋根外装構造の概要の一例を示す説明図である。
【図２】同屋根外装構造の構造を示す説明図である。
【図３】屋根外装構造の他の実施の形態を示す説明図である。
【発明を実施するための形態】
【００１５】
以下、本発明の形態について図面を参照しながら具体的に説明する。図１は、本発明に係る屋根外装構造の概要の一例を示す説明図である。図２は、同屋根外装構造の構造を示す説明図である。図３は、屋根外装構造の他の実施の形態を示す説明図である。
【００１６】
本発明における屋根外装構造は、建築物の屋根表面を形成する屋根材に装着する構造であって、屋根の温度上昇を防止するために屋根の上にシートを設ける構造についてのものである。本発明における屋根外装構造は、波形の凹凸を有する屋根材の上面を覆う通気性を有さない遮熱シート１０と、屋根材の側方の屋根材と遮熱シート１０との間の開口部を塞ぐ封止部材２０とを備えた構造である。そして、本発明における屋根外装構造は、開口部を封止部材で塞いで、屋根材と遮熱シート１０との間に、空気層Ｓを設ける構造となっている。
【００１７】
次に、本発明における屋根外装構造に係る具体的な構造例を、図を用いて説明する。図１における屋根１は、例えば工場や事業所用の建築物における屋根構造であり、波形の凹凸を有する屋根材として折板３０が用いられている。そして、折板３０には、折板３０の上面を覆う通気性を有さない遮熱シート１０が設けられ、折板３０の側方の折板３０と遮熱シート１０との間の開口部を塞ぐ封止部材２０が嵌め込まれている。図１及び図２に示す屋根構造は、一般的にボルト折板といわれ、折板３０が、タイトフレーム３２に上方に向かって突出するように設けられらボルト３６及びナット３８によって固定されている構造である。この構造のため、ボルト３６の先端が、折板３０の上方に突出している。
【００１８】
遮熱シート１０は、表面がアルミ箔で形成されているもので、アルミ箔の下層に樹脂製シートからなる断熱層を有している。遮熱シート１０としては、特にアルミ箔の断熱層を有することが必須ではないが、遮熱シート１０の表面をアルミ箔で形成させることで、太陽からの輻射熱を抑えることができ、遮熱効果を一層高めることができる。また、遮熱シート１０のアルミ箔の下層に、樹脂製シートからなる断熱層を設けることで、遮熱効果を一層高めることができる。上述のように、遮熱シート１０を、アルミ箔のみで構成する場合、アルミ箔と樹脂シートとで構成させる場合以外にも、アルミ箔の最下層に、他のアルミ箔を有する構成にすることで（アルミ箔とアルミ箔との間に樹脂シートを設けてもよい）、冬期などに建築物の内部から放熱される輻射熱を反射することができ、冬期などに建築物を保温することが可能になる。
【００１９】
次に、折板３０の上面を覆うように遮熱シート１０を屋根１に被せて固定する構造を説明する。まず、通常の折板３０によって形成される屋根１は、建物の骨組みである鉄骨の上に下地材５０が横臥して設けられ、その上に、折板３０が陸屋根を形成するように張り合わされる。具体的には、屋根１の上面に長尺で伸びる下地材５０の上に、細巾で山並状に形成されたタイトフレーム３２が、下地材５０上に長さ方向に沿って設けられる。そして、タイトフレーム３２の波形の凹凸も凸部の上面に、折板３０の端部の重ね合わせ部を保持するようにボルト３６とナット３８を介して固定される。
【００２０】
このように形成された折板３０全体を遮熱シート１０で覆い、折板３０の頂部面３０ａに遮熱シート１０を接着剤や両面テープ等で接着するようにする。尚、ボルト３６の先端が頂部面３０ａから上方に突出しているが、遮熱シート１０のボルト３６の位置に穴を開けたり、切れ目を入れることで、遮熱シート１０を頂部面３０ａに接着した時に、ボルト３６の先端が、遮熱シート１０を貫通するようにする（図１参照）。
【００２１】
最後に、上述したように、折板３０の側方の折板３０と遮熱シート１０との間の開口部に、封止部材２０を嵌め込むことで、折板３０と遮熱シート１０との間に、空気層が設けられる。尚、本実施の形態では、屋根１の屋根材として折板３０を用いて説明したが、必ずしも折板３０である必要はなく、波形の凹凸を有する屋根材であって断熱シート１０との間に空気層ができるものであればよい。
【００２２】
以上のような構造の屋根外層構造によれば、開口部を封止部材で塞いで、屋根材である折板３０と遮熱シート１０との間に、空気層を設けたことから、遮熱効果を高めることができる。
【００２３】
尚、遮熱シート１０の屋根材である折板３０に接着される部分に、不織布を設けるようにしてもよく、不織布を設けることで、折板３０との接着性を向上させることが可能である。
【００２４】
尚、上述の例では、図１及び図２の屋根構造の例では、折板３０の下面には空洞ができ、タイトフレーム３２に折板３０が工程されている構造であるが、他の屋根構造であっても遮熱シート１０を接着して空気層を設けることが可能であり、具体的な他の例を示すのが図３である。
【００２５】
図３の例は、波形の凹凸を有する屋根材としての折板４０の下にウレタン樹脂製の断熱材４２が設けられている。そして、折板４０全体として、一枚のボードのような構造になっており、この状態で、下地材５０の上に固定される。この折板４０では、上述の折板３０のようにボルト３６の先端が突出しておらず、遮熱シート１０を、折板４０の全体を覆うようにして、単に折板４０の頂部面４０ａに接着するようにすればよい。この折板４０の場合でも、折板４０の側方の折板４０と遮熱シート１０との間の開口部に、封止部材を嵌め込むことも可能であるが、封止部材として遮熱シート１０を用いて、折板４０を覆う遮熱シート１０を封止部材が嵌め込まれる部分にまで伸ばして張り込むように接着してもよく、これにより折板４０と遮熱シート１０との間に、空気層が設けられることになる。封止部材として遮熱シート１０を用いることで、コストの削減に繋がる。
【産業上の利用可能性】
【００２６】
以上のように、本発明によれば、遮熱効果が高い屋根外装構造を提供することができる。
【符号の説明】
【００２７】
１・・・・・屋根
１０・・・・遮熱シート
２０・・・・封止部材
３０・・・・折板
３０ａ・・・頂部面
３２・・・・タイトフレーム
３６・・・・ボルト
３８・・・・ナット
４０・・・・折板
４０ａ・・・頂部面
４２・・・・断熱材
５０・・・・下地材
【図１】
0006465670.tif 000002
【図２】
0006465670.tif 000003
【図３】
0006465670.tif 000004